(57)【特許請求の範囲】
【請求項１】
自転車または類似の乗り物のハンドルバーのためのグリップ（１）であって、端部（７，８）が設けられ、長手軸（Ｘ）を有する筒状の空洞（３）を含む管状の本体（２）を備え、前記本体（２）は、ハンドルバーの端部に嵌合するのに適しており、グリップ（１）はさらに、前記本体（２）に結合される軟質な材料で構成されたパディング（５）と、パディング（５）の上に位置決めされるカバー（６）と、ハンドルバーに対してグリップ（１）を固定する手段（１４，１６）とを備え、前記カバー（６）は、少なくとも一部が加熱および／または冷却により熱変化した状態の熱収縮材料および／または熱形成材料からなり、前記カバー（６）はパディング（５）の形状となっており、
前記パディング（５）は、軸（Ｘ）に沿った長手方向の長さを有し、この長さは、本体（２）の長さよりも短く、これにより、本体（２）自体の端部（７，８）の少なくとも一方が被覆されない状態となり、
前記カバー（６）は、軸（Ｘ）に沿った長手方向の長さを有し、この長さは、前記本体（２）の長さに実質的に等しく、これにより、パディング（５）に被覆されない本体（２）の端部（７，８）も被覆する状態となり、
前記本体（２）の端部（７，８）および前記カバー（６）の端部は前記固定する手段（１４，１６）によりハンドルバーに固定される、グリップ。
【請求項２】
前記本体（２）は、前記パディング（５）よりも剛性が高い材料からなる、請求項１に記載のグリップ。
【請求項３】
前記本体（２）は、本体（２）の端部（７、８）の少なくとも一方に位置決めされるスロット（９）および／または凹部（１０）を含む、請求項１または２に記載のグリップ。
【請求項４】
前記本体（２）は、空洞（３）の内側面に設けられる少なくとも１つの溝（４）を含み、前記少なくとも１つの溝（４）は、前記本体（２）と前記固定手段（１４）との間の結合を容易とするために平らとなって潰れるように適合する、請求項１から３のいずれか１項に記載のグリップ。
【請求項５】
前記パディング（５）は、ポリウレタンゲル、または、熱可塑性エラストマ、および／またはシリコン、および／または小型弾性ポリウレタン（ＰＵ）、および／または、マイクロセルラポリウレタン、および／または発泡エチル酢酸ビニル（ＥＶＡ）含む他の材料、および／または前記パディング（５）は、ゲルとコルクの混合物、および／またはゲルと相変化材料の混合物、および／または、および／またはエチル酢酸ビニルまたはポリウレタン発泡体の層の上に配置されるゲルの層を含む、請求項１から４のいずれか１項に記載のグリップ。
【請求項６】
前記パディング（５）は、本体（２）に対応する形状を有することで結合されている、請求項１から５のいずれか１項に記載のグリップ。
【請求項７】
前記パディング（５）は、接着によって本体（２）に結合される、請求項１から５のいずれか１項に記載のグリップ。
【請求項８】
前記カバー（６）は、ポリオレフィン、フッ素ポリマ、ポリ塩化ビニル（ＰＶＣ）、または、ポリクロロプレン（ネオプレン）、シリコンエラストマ、もしくはフッ素ポリマエラストマをベースとした合成ゴム、および／または織布もしくは不織布などの天然材料および／または合成材料から選択される１つ以上の材料を含む、請求項１から７のいずれか１項に記載のグリップ。
【請求項９】
前記カバー（６）は、少なくとも一部が透明な材料からなる部分または窓（１３）を含む、請求項１から８のいずれか１項に記載のグリップ。
【請求項１０】
前記透明な材料は、不透明な材料と同じまたは類似の熱収縮特性および／または熱形成特性を有する、請求項９に記載のグリップ。
【請求項１１】
前記パディング（５）は、少なくとも１つの透明な部分を含み、これにより、本体（２）の外側面の領域、および／またはパディング（５）の領域、および／または前記パディング（５）の内側領域を見ることを可能にする、請求項９または１０に記載のグリップ。
【請求項１２】
パディング（５）および／または本体（２）の外部から見ることが可能な領域は、印刷、および／または絵、および／または文字、および／または装飾要素、および／または彩色などを有し、これにより、識別可能な特徴をグリップ（１）自体に付加する、請求項９から１１のいずれか１項に記載のグリップ。
【請求項１３】
前記固定手段は、係止手段（１６）が設けられた少なくとも１つの固定リング（１４）を含む、請求項１から１２のいずれか１項に記載のグリップ。
【請求項１４】
前記固定リング（１４）は、切り欠き（１５）を含む、請求項１３に記載のグリップ。
【請求項１５】
前記固定リング（１４）は、減厚手段（３０）を含む、請求項１３または１４に記載のグリップ。
【請求項１６】
前記固定リング（１４）は、本体（２）の端部（７，８）および／またはカバー（６）と結合するような直径を有する第１の内側面（１７）と、本体（２）の端部およびハンドルバー管の端部を被覆させるのに適した小さい直径を有する第２の内側面（１８）とを含む、請求項１３から１５のいずれか１項に記載のグリップ。
【請求項１７】
前記本体（２）は、本体（２）の端部（７、８）の少なくとも一方に位置決めされる凹部（１０）を含み
前記固定手段は、係止手段（１６）が設けられた少なくとも１つの固定リング（１４）を含み、
前記固定リング（１４）は、切り欠き（１５）を含み、
前記固定リング（１４）は、切り欠き（１５）に隣接して配置され、本体（２）の前記凹部（１０）に対して挿入するのに適した１つ以上の隆起部（１９）を含む、請求項１または２に記載のグリップ。
【請求項１８】
前記固定リング（１４）の内側面（１７）は、リブ（２０）を含み、前記リブ（２０）は、本体（２）に設けられたスロット（９）および／またはカバー（６）に設けられたスロット（１１）に挿入することが想定される、請求項１７に記載のグリップ。
【請求項１９】
前記リング（１４）は、金属、および／またはポリマ材料からなる、請求項１３から１８のいずれか１項に記載のグリップ。
【請求項２０】
本体（２）と、パディング（５）と、熱収縮材料および／または熱形成材料からなるカバー（６）とが設けられたグリップ（１）を作成する方法であって、
−端部（７，８）および長手方向の軸（Ｘ）を有し管状の本体（２）を作るステップと、
−このような本体（２）に軟質な材料で構成されたパディング（５）を結合させるステップと、
−このようなパディング（５）にカバー（６）を位置決めするステップとを備え、
カバー（６）を位置決めする前記ステップは、パディング（５）の上においてカバー（６）の収縮および／または形成を引き起こす加熱ステップおよび／または冷却ステップを含み、
前記パディング（５）は、軸（Ｘ）に沿った長手方向の長さを有し、この長さは、本体（２）の長さよりも短く、これにより、本体（２）自体の端部（７，８）の少なくとも一方が被覆されない状態となり、
前記カバー（６）は、軸（Ｘ）に沿った長手方向の長さを有し、この長さは、前記本体（２）の長さに実質的に等しく、これにより、パディング（５）に被覆されない本体（２）の端部（７，８）も被覆する状態となり、
前記本体（２）および前記カバー（６）の端部は前記固定する手段（１４，１６）によりハンドルバーに固定される、方法。
【請求項２１】
本体（２）にパディング（５）を結合させる前記ステップは、本体（２）の上に直接的にパディングの材料を流し込んで硬化させるステップを含む、請求項２０に記載の方法。
【発明の詳細な説明】
【技術分野】
【０００１】
発明の技術分野
本発明は、自転車、およびオートバイや配達用三輪自動車などのハンドルバーが設けられた類似の乗り物のハンドルバーのためのグリップに関する。一般に、乗り物のハンドルバーに加えて、本発明は、たとえばスポーツ器具などにも用いられる任意の種類のハンドグリップおよびハンドルのためのグリップに関する。
【０００２】
本発明は、上記のグリップを得るための方法にも関する。
【背景技術】
【０００３】
従来技術
自転車のハンドルバーのためのグリップは、たとえば、同出願人による欧州特許第１３７３０５８号Ｂ１により知られている。
【０００４】
このようなグリップは、ハンドルバーへの挿着に適した主剛体と、たとえばゲル型のエラストマ材料などの比較的柔らかい材料からなるカバーとを実質的に含み、その外形は、ユーザの握りに適した形状に成形され、手の通気性を高めるように溝が設けられる。このような特許によるグリップにおいては、ハンドルバーとの係合に適した面が設けられた管形状の突出部を有する端部要素が想定されている。
【発明の概要】
【発明が解決しようとする課題】
【０００５】
発明の目的
発明の１つの目的は、従来技術を向上させることである。
【０００６】
本発明の他の目的は、従来技術のグリップよりも心地よい、すなわち、より良好に衝撃や振動を吸収し、ユーザとの接触部分において圧力をより良好に分散させる、ハンドルバーのためのグリップを提供することである。
【０００７】
本発明の他の目的は、簡単な構造を有して費用効率の良い、ハンドルバーのためのグリップを提供することである。
【０００８】
発明の他の目的は、ハンドルバーに対してしっかりと固定することができる、ハンドルバーのためのグリップを提供することである。
【０００９】
本発明のさらなる目的は、従来技術のグリップよりも耐候性が高く、候補となる色、デザイン、形状などの組合せに関して製造の柔軟性が高いグリップを提供することである。
【課題を解決するための手段】
【００１０】
本発明の一局面によれば、これらの目的は、請求項１に記載されるハンドルバーのためのグリップによって達成される。
【００１１】
これらの目的および他の目的は、発明の好ましく有利な実施例に関する従属請求項２から２２によって達成される。
【００１２】
本発明のさらなる他の目的は、上記のハンドルバーのためのグリップを作成する方法を提供することである。
【００１３】
本発明のさらなる目的は、独立請求項２０に記載されるハンドルバーのためのグリップを作る方法を提供することである。
【００１４】
発明のさらなる特徴および利点は、例示であって限定する意図のない態様で添付の図面に示されるハンドルバーのためのグリップに関する詳細な記載によって、より明瞭になるであろう。
【図面の簡単な説明】
【００１５】
【図１】本発明に係るハンドルバーのためのグリップを示す分解斜視図である。
【図２】本発明に係るハンドルバーのためのグリップに設けられる外側カバーの他の形態を示す斜視図である。
【図３】上記の図面に係るグリップの詳細を示す拡大詳細図である。
【図４】上記の図面に係るグリップの詳細を示す拡大詳細図である。
【図５】本発明に係るグリップの代替的な実施例を詳細に示す図である。
【図６Ａ】本発明に係るグリップの例示的な実施例を詳細に示す図である。
【図６Ｂ】本発明に係るグリップの例示的な実施例を詳細に示す図である。
【図７Ａ】本発明に係るグリップの代替的な実施例を詳細に示す図である。
【図７Ｂ】本発明に係るグリップの代替的な実施例を詳細に示す図である。
【図８】本発明に係るグリップに適用することができる付属品を示す図である。
【発明を実施するための形態】
【００１６】
記載を簡素にするための便宜上、ハンドルバーを有する他の任意の種類の乗り物、および、たとえばスポーツ器具などにも用いられる任意の種類のハンドグリップおよびハンドルにもグリップを使用することができるという理解の下、後の記載においては、自転車のハンドルバーのためのグリップについて記述するものとする。
【００１７】
図面を参照すると、様々な種類のハンドルバーを有する自転車および乗り物に使用される自転車のハンドルバーのためのグリップは、参照符号１で示される。
【００１８】
グリップは、内側本体２を有する。内側本体２は、比較的剛性の高い材料からなり、長手軸「Ｘ」を有して実質的に管状に成形され、ハンドルバーの端部（図示せず）またはハンドグリップやハンドルなどの類似の要素の端部と嵌合するのに適している。
【００１９】
内側本体２は、任意の剛性および半剛性材料、金属またはプラスチック、たとえば熱可塑性ポリマから作ることができる。
【００２０】
内側本体２は、両端が開いた実質的に筒状の空洞３を含む。空洞３の内側面には、様々な製造工程においてグリップ１を位置決めして正しく配向し、グリップ１のさらなる部品の位置決めを促すのに適した１つ以上の溝４を備えることができる。これは、以下の記載でより明瞭となる。
【００２１】
本体２は、２つの端部７，８を有し、各端部には、スロット９と凹部１０とが設けられる。その機能については、後の記載においてより詳細に説明される。
【００２２】
図７Ａに示される代替的な実施例においては、本体２は、凹部１０を有していなくてもよい。
【００２３】
本体２の外側面には、比較的軟質な材料、たとえばポリウレタンゲル、またはこの目的に適した他の材料からなるパディング５が取り付けられる。たとえば、熱可塑性エラストマ、シリコーン、小型弾性ポリウレタン（ＰＵ）、マイクロセルラポリウレタン、発泡エチル酢酸ビニル（ＥＶＡ）などの非発泡型または発泡型の材料を使用することができる。このようなパディング５は、たとえば、ゲルとコルクの混合物、ゲルと相変化物質との混合物などの連続不均一材料、および、たとえば互いに自由に流動して手の形および外部からの応力に対して完全に適合することができる微小球パケットや、エチル酢酸ビニルまたはポリウレタン発泡体の層の上に配置されるゲルの層などの非連続均一材料からも作ることができる。
【００２４】
パディング５は、ユーザに対する良好なグリップおよび良好な心地よさを促すように成形された外形を有することができる。
【００２５】
パディング５は、上記の本体２が収容される型（図示せず）の中において、本体２にパディングの材料を流し込むことによって得ることができる。パディングの材料は、ひとたび硬化されると、本体２に結合される。
【００２６】
本発明の他の形態によれば、パディングの材料は、鋳造成形、射出成形、型成形などによって、本体２が無くとも型の中で成形することができ、たとえば接着などの他の処理によって本体２に結合させることができる。
【００２７】
パディング５は、軸「Ｘ」に沿った長手方向の長さを有する。この長さは、本体２の長さよりも短い。これにより、本体２自体の端部７，８の少なくとも一方が被覆されない状態となる。
【００２８】
パディング５の少なくとも一部の上には、カバー６の取り付けが想定される。カバー６は、その少なくとも一部が熱収縮材料、または、たとえば熱成形材料などの他の適切な材料からなる。カバー６は、熱収縮材料および／または熱成形材料の組み合わせ、ならびに特殊な性質を有する他のカバー材料の組み合わせを有することができる。これは、後の記載においてより詳細に記載される。
【００２９】
カバー６は、ユーザに高い心地よさを提供するとともに、その下に配置されるパディング５を保護するのに適した外側面を有する。
【００３０】
カバー６は、軸「Ｘ」に沿った長手方向の長さを有する。この長さは、本体２の長さに実質的に等しい。これにより、パディング５で被覆されていない本体２の端部７，８を被覆させる。このような理由から、カバー６の端部には、本体２の端部７，８に類似のスロット１１と凹部１２とが設けられる。
【００３１】
代替的な実施例において、カバー６は、凹部１２を有しておらず、凹部１０を有さない本体２と組み合せて使用される。
【００３２】
本発明の一形態において、カバー６は、実質的に筒状の初期形状を有するシースであり、本体２とパディング５とによって形成されるアセンブリに嵌合される。カバー６の材料は熱収縮特性を有するため、加熱および／または冷却によって、実質的に筒状の管状シースが収縮し、すなわち、その寸法、特に直径が小さくなり、図に示されるような、本体２とパディング５とのアセンブリの形状に対応する形状となる。
【００３３】
図６Ａおよび図６Ｂに示されるように、カバー６は、ユーザの異なる要求に適合するように、異なる構成を有することができる。
【００３４】
熱収縮性シースの材料は、例示であって限定する意図はないが、１つ以上の熱可塑性材料、たとえば、ポリオレフィン、フッ素ポリマ、ポリ塩化ビニル（ＰＶＣ）、または、ポリクロロプレン（ネオプレン）、シリコーンエラストマ、もしくはフッ素ポリマエラストマ（Ｖｉｔｏｎ，ＤｕＰｏｎｔ社の登録商標）をベースとした合成ゴム、または織布もしくは不織布のような、天然または合成の材料を含むことができる。本発明の他の形態によれば、カバー６は、熱および圧力によって本体２およびパディング５のアセンブリの形状を成形する熱成形材料からなる。
【００３５】
代替的な実施例において、カバー６は、不透水性材料と一体となった発泡エチル酢酸ビニルからなるシースを使用して得ることができ、パディング５の上に熱成形することができる。
【００３６】
図２は、透明な材料からなる部分または窓１３を含むカバー６の他の形態を示し、これは、グリップ１の熱収縮材料および／または熱形成材料と一体としてもよく、一体としなくてもよい。このような透明な材料は、不透明な材料と同じまたは類似の熱収縮特性および／または熱形成特性を有することができる。
【００３７】
この透明な窓が付加される場合、または窓がカバー６から形成される場合、この窓を介してパディング５の領域を見ることができる。パディング５もまた透明である場合、たとえば透明のゲルからなる場合、本体２の外側面の領域、および／またはパディング５の形成に使用される他の材料および／または発泡体の領域、および／またはパディング５自体の内部の領域さえも外から見ることができる。パディング５および／または本体２の外から見ることができるこのような領域は、印刷、および／または絵、および／または文字、および／または装飾物、および／または彩色などの、特別かつ識別可能な特性をグリップ自体に付与することができる。
【００３８】
グリップ１は、ハンドルバーに固定するための少なくとも１つのリング１４を含み、特定的には、グリップの端部に位置決めされる２つの固定リング１４を含む。
【００３９】
固定リング１４は、たとえば、ねじ手段または同等の手段などの係止手段１６によってリング１４自体の内径を小さくことができる切り欠き１５を含む。これにより、固定リング１４を以下の記載で説明する方法によってハンドルバーに固定することができる。
【００４０】
図７Ｂに示されるように、固定リング１４は、本体２の端部７，８およびカバー６に連結するような直径を有する第１の内側面１７と、本体２の端部、カバー６の端部、およびハンドルバーの管の端部を被覆させるのに適した小さい直径を有する第２の内側面１８とを含む。
【００４１】
代替的な実施例において、固定リング１４は、切り欠き１５に隣接する１つ以上の隆起部１９、特定的には２つの隆起部１９を含む。この隆起部１９は、本体２の凹部１０に挿入され、本体２に対するリング１４の角度的および軸方向の基準を定めることができる。
【００４２】
固定の強さをさらに強め、リング１４に対する本体２の角度的および軸方向の基準を正確にするために、内側面１７は、実質的に周の所定の円弧部に沿って配置されるリブ２０を含むことができる。リブ２０は、適切に想定される本体２のスロット９および／またはカバー６のスロット１１に挿入される。
【００４３】
このような目的のために、内側本体２の溝４は、リブ２０をスロット９および／またはスロット１１に挿入できるように、内側本体２を平たくして若干潰れた状態にすることができる。このような溝４は、グリップ１の位置決め部としても機能し、様々な製造工程においてそれらの配向を調整し、鋳造型に配置されて溝４と結合する対応の突起部を介して、このような方法でグリップ１の全体を確実に正しく配向させる。
【００４４】
全体として、グリップ１とハンドルバーの管との間の固定は、ユーザによって容易に行なわれるのにも拘らず非常にしっかりしている。
【００４５】
固定リング１４は、たとえば鉄鋼やアルミニウムなどの金属、または、たとえば繊維、ボール、ナノフィラ、ファイバガラス、炭素繊維もしくはアラミド繊維を含む樹脂などの複合材料によって補強された熱可塑性材料または熱硬化性材料のようなポリマ材料から作ることができる。
【００４６】
代替的な実施例においては、固定リング１４は、実質的に径方向に延在して係止手段１６によって閉じられる、少なくとも１つの切り欠き１５が設けられることで開放型となり、全体的に参照符号３０で示される減厚手段を、少なくとも１つの切り欠き１５に対して実質的に径方向反対側の位置に有する。このような手段は、固定リング１４にヒンジ効果をもたらすのに適しており、ハンドルバーの管に対して本体２をより強く最適に係止させる。
【００４７】
図面に示される好ましいが排他的ではない実施例において、減厚手段３０は、止まり穴または貫通孔によって規定され、リブ２０の箇所および／またはリング１４の内側面１７の箇所に位置決めすることができ、これら両方の一部は内側本体２およびカバー６に対して向けられている。しかし、添付の請求項の内容によって表わされる保護範囲から逸脱することのない限りにおいて、減厚手段の任意の他の構成が想定されることを理解すべきである。
【００４８】
本発明に係るグリップは、市場に大抵は存在している異なる長手方向の長さを有して作ることができる。例示であって限定する意図はないが、その長さは、９０ｍｍ、１１０ｍｍ、および１３０ｍｍに設定することができる。
【００４９】
図８はさらに、たとえば自転車のギヤシフトのためのアダプタ３２などの、グリップ１に付加することができる付属品を示す。この付属品は、ウィング３４によって、リング１４に結合することができる。ウィング３４には、リング１４の切り欠き１５に挿入することができる１つ以上のリブ３６が設けられ得る。アダプタ３２およびウイング３４は、請求項の保護範囲から逸脱しない限りにおいて、他の形状および構成を有することができる。
【００５０】
本発明は、上記のグリップ１を作成する方法にも関する。
本体２と、パディング５と、熱収縮材料および／または熱形成材料のカバー６とが設けられるグリップ１を作成する方法は、実質的に管状の本体２を作るステップと、パディング５をこのような本体２に結合させるステップと、パディング５のカバー６の収縮および／または形成を引き起こす加熱ステップおよび／または冷却するステップによってパディング５の上にカバー６を位置決めするステップとを含む。
【００５１】
方法の１つの局面によれば、本体２にパディング５を取り付けるステップは、本体２の上に直接的にパディングの材料を流し込んで硬化させるステップを含む。このように考案された本発明は、請求項の保護範囲によって包含される全ての様々な変更や変形を想定することができる。
【図１】
0005948314.tif 000002
【図２】
0005948314.tif 000003
【図３】
0005948314.tif 000004
【図４】
0005948314.tif 000005
【図５】
0005948314.tif 000006
【図６Ａ】
0005948314.tif 000007
【図６Ｂ】
0005948314.tif 000008
【図７Ａ】
0005948314.tif 000009
【図７Ｂ】
0005948314.tif 000010
【図８】
0005948314.tif 000011